【事件の表示】
　上記当事者間の登録第２２３９０５０号商標の登録取消審判事件について、次のとおり審決する。
【結　論】
　登録第２２３９０５０号商標の指定商品中の「電気材料及びこれに類似する商品」については、その登録は取り消す。
　審判費用は、被請求人の負担とする。
【理　由】
第１　本件商標
　本件登録第２２３９０５０号商標（以下、「本件商標」という。）は、別掲のとおり、ややデザイン化された「ＳＯＬＡＲ　ＭＡＴＥ」の欧文字を横書きしてなり、昭和６２年６月２６日登録出願、第１１類「電気通信機械器具、その他本類に属する商品」を指定商品として、平成２年６月２８日に設定登録され、その後、平成１２年３月１４日付けで商標権存続期間の更新登録がなされたものである。
　　
第２　請求人の主張
　請求人は、結論同旨の審決を求めると申し立て、その理由及び答弁に対する弁駁を要旨次のとおり述べ、証拠方法として甲第１号証ないし甲第５号証を提出した。
１　請求の理由
　本件商標は、その指定商品中の「電気材料及びこれに類似する商品」について、継続して３年以上日本国内において使用されている事実がなく、また、専用使用権者、通常使用権者又は質権者のいずれかが該指定商品について本件商標の使用をしている事実もない。さらに、該指定商品について、本件商標を使用しないことについて正当な理由があったことも明らかにしていない。
２　答弁に対する弁駁
（１）被請求人は、本件商標を太陽電池モジュール、自動車用ソーラーバッテリーチャージャー又は農業用ソーラーバッテリーチャージャー（以下、これらを一括して「太陽電池モジュール等のバッテリーチャージャー」という。）とバッテリーとをつなぐ出力コードに使用しており、同出力コードは電線又はケーブルにあたり、「電気材料に類似する商品」に属するから、本件商標は「電気材料及びこれに類似する商品」について使用されていると主張している。
　しかしながら、被請求人が主張する使用しているとする商品は、太陽電池モジュール等のバッテリーチャージャーについての本件商標の使用に他ならず、「電気材料及びこれに類似する商品」についての本件商標の使用には該当しない。
（２）出力コードについて
　乙各号証における同出力コードは、乙第２号証２／２及び乙第３号証２／２において、自動車用ソーラーバッテリーチャージャー又は農業用ソーラーバッテリーチャージャーの「主な仕様」として、その全長とヒューズ・接続端子付である旨の記載があるだけで、例えば、出力コードのみの交換が可能であるとか、出力コードが別売りされているなどの記述や出力コード単体での価格表示は一切ないから、同出力コードが単独で販売されていると信ずるに足る事実は何ら証明されていない。
　してみれば、被請求人の提出する証拠方法は、同出力コードが太陽電池モジュール等のバッテリーチャージャーと一体で販売される附属品又は部品に他ならないことを示しているにすぎない。
　そして、同出力コードは、太陽電池モジュール等のバッテリーチャージャーとバッテリーその他の機器とをつないで使用され、同モジュール又は同ソーラーバッテリーチャージャー本体が太陽光発電した電気をバッテリーその他の機器へ供給するために用いられるものである。
　よって、同出力コードは、独立した一商品ではなく、太陽電池モジュール等のバッテリーチャージャーと機能上不可分なものであって、同モジュール又は同ソーラーバッテリーチャージャーと一体として取引される附属品又は部品と解釈するのが相当であり、同出力コードは、市場において独立して商取引の対象として流通に供されている物ではないから、同出力コードについての本件商標の使用は、「商品についての登録商標の使用」には該当しない。
（３）太陽電池モジュール等のバッテリーチャージャーの使用について
　本件商標の使用は、上記（２）のとおり、太陽電池モジュール等のバッテリーチャージャーの出所を表示するものに他ならないものであるが、本件商標が太陽電池モジュール等のバッテリーチャージャーについて使用されているとの被請求人の主張も以下の理由により受け入れられない。
（ア）太陽電池モジュールのカタログ（乙第１号証）の内容は、１９８９年５月現在のものである。自動車用ソーラーバッテリーチャージャー（乙第２号証）のカタログは、昭和６３年（１９８８年）１月に、農業機械用ソーラーバッテリーチャージャー（乙第３号証）のカタログは、昭和６３年（１９８８年）１１月に、それぞれ作成されたものであるから、乙第１号証ないし乙第３号証は、１９８８年から１９８９年にかけて太陽電池モジュール等のバッテリーチャージャーについて本件商標が使用されていたであろうことを推測させるにすぎず、本件商標が現在使用されているという事実、及び本件審判の請求の登録日前３年以内に本件商標が使用されていた事実を何ら証明するものではない。
（イ）乙第４号証２／２によれば、単に「農業機械用ソーラーバッテリーチャージャーＮＴ−２０３」の文字とその仕様が紹介されているだけで、需要者が購入する際に当然参考にすべき価格や使用目的・使用方法等の情報が開示されていないから、かかる展示は販売目的の展示とは解釈し得ない。また、乙第４号証の写真には撮影日の記載がないため、そもそも、展示自体が現在なされているかさえも明らかではない。
（ウ）乙第６号証のインターネット上で掲示しているサイトは、同サイトに掲載されるソーラーバッテリーチャージャーのモデル番号がＮＴ−２０３であることを確認できるにすぎず、これが被請求人に係る商品であることの明示はない。さらに、画像不鮮明のため、本件商標が当該商品に使用されているか否かも確認できない。
　したがって、インターネット上のサイトに商品が掲載されている事実のみをもってしては、その商品が現実に取引されているとまでいい切ることはできない。
（エ）以上より、被請求人の証拠方法は、本件商標が現在及び本件審判の請求の登録日前３年以内に太陽電池モジュール等のバッテリーチャージャーについて使用されているとの主張を何ら証明し得るものではなく、かかる被請求人の主張は認められない。
３　むすび
　したがって、本件商標は、その指定商品中「電気材料及びこれに類似する商品」について登録は商標法第５０条第１項の規定に基づき、取り消されるべきものである。
　
第３　被請求人の答弁
　被請求人は「本件審判の請求は成り立たない、審判費用は請求人の負担とする、との審決を求める。」と答弁し、その理由を次のとおり述べ、証拠方法とて、乙第１号証ないし乙第６号証（枝番号含む）を提出した。
１　乙第１号証は、本件商標を使用した太陽電池モジュール（モデル番号ＮＴ−２０１）に関するカタログ。乙第２号証は、本件商標を使用した自動車用ソーラーバッテリーチャージャー（モデル番号ＮＴ−２０２）に関するカタログ。乙第３号証は本件商標を使用した農業機械用ソーラーバッテリーチャージャー（モデル番号ＮＴ−２０３）に関するカタログ（以下、これらを一括して「太陽電池モジュール等」という。）。乙第４号証は、本件商標を使用した上記製品をシャープ株式会社新庄工場内で展示している写真である。
　乙第１号証ないし乙第４号証からも明らかなように、本件商標を太陽電池モジュール等のバッテリーチャージャーに使用し、現在に至るまで継続して販売のため上記製品を展示している。また、本件商標を使用した太陽電池モジュール等のバッテリーチャージャーの各製品は、乙第１号証ないし乙第３号証の各カタログからも明らかなように、バッテリーと上記製品をつなぐ出力コードを併せて販売している。
　乙第５号証は、社団法人発明協会発行の類似商品審査基準（改訂版）であり、その６５頁の「電気材料」のうち、「絶縁テープ　絶縁用ゴム製品」は「電線　ケーブル」に類似する旨の記載があるから、上記製品と併せて販売されている出力コードは、電線又はケーブルにあたり、本審判請求の対象となった「電気材料に類似する商品」に属するものである。
２　乙第６号証は、少なくとも２００２年６月２日から本件商標を使用した製品（モデル番号ＮＴ−２０３）を販売のため株式会社アイフリーがインターネット上で掲示しているサイトの画面を印刷したものである。株式会社アイフリーが本件商標を使用した製品を販売のために掲示しているサイトの２００２年６月２日、同年８月２６日、２００３年１月２２日、同年２月２６日、同年４月２０日、同年６月８日、同年８月３日、同年１２月９日及び２００４年２月２２日時点の過去ログを印刷したものであり、本件商標を使用した製品について、本件審判の請求の登録前３年以内に市場で取引されており、現在も取引されている事実が明らかである。
３　したがって、本件商標は、その指定商品中「電気材料及びこれに類似する商品」についての登録は商標法第５０条第１項の規定より取り消されるべきではない。
　
第４　当審の判断
１　乙各号証について以下検討する。
（１）乙第１号証は、「太陽電池モジュールＮＴ−２０１に関するカタログ」であるが、該カタログの最終頁には「このカタログの内容は、１９８９年（平成元年）５月現在のものです。」との表示がある。
（２）乙第２号証は、「自動車用ソーラーバッテリーチャージャーＮＴ−２０２に関するカタログ」であるが、該カタログの最終頁には「昭和６３年１月作成」との表示がある。
（３）乙第３号証は、「農業機械用ソーラーバッテリーチャージャーＮＴ−２０３に関するカタログ」であるが、該カタログの最終頁には「昭和６３年１１月作成」との表示がある。
　してみれば、乙第１号証ないし乙第３号証の各カタログは、いずれも本件取消審判の請求の登録日（平成１６年８月３０日）前３年以内に該当しないものである。
（４）乙第４号証は、「シャープ株式会社新庄工場内における農業機械用ソーラーバッテリーチャージャーＮＴ−２０３の写真」であるが、該写真には使用年月日の表示はない。
（５）乙第５号証は、「類似商品審査基準〔改訂版〕（改訂第６版　特許庁商標課課編）」であり、審査基準上「電気材料」の範疇に属する「絶縁テープ　絶縁用ゴム製品」と「電線　ケーブル」とが類似する商品と推定されていることは認め得るところであるが、この類似の範囲は、他人が本件商標と同一又は類似の商標を使用することを排除する禁止権の範囲であって、商標法第５０条における請求に係る指定商品について登録商標を使用する範囲とは異なるものと解されるから、この類似する商品と推定される商品をもって、請求に係る指定商品についての使用とはいうことはできない。
　したがって、この点についての被請求人の主張は、採用できない。
（６）乙第６号証は、「株式会社アイフリーのインターネットのホームページ」であるが、該ホームページには本件商標の表示がない。
２　以上によれば、被請求人は、本件商標を継続して本件審判の請求の登録日（平成１６年８月３０日）前３年以内に日本国内において、取消請求に係る指定商品「電気材料及びこれに類似する商品」について使用していなかったものといわざるを得ず、また、これを使用していないことについて正当な理由があることを明らかにしていない。
　したがって、本件商標の登録は、商標法第５０条の規定により、その指定商品中「電気材料及びこれに類似する商品」についての登録を取り消すべきものである。　　　　
　よって、結論のとおり審決する。